(57)【特許請求の範囲】
【請求項１】
背面に土類が設けられるコンクリート構造物において、このコンクリート構造物の天端に前面から背面に向かって下り勾配の傾斜面が形成され、前記傾斜面に、この上に載る土や植物等が滑らないように保持する凹凸が凹溝、凸条、穴あるいはリブにより形成されていることを特徴とするコンクリート構造物の天端構造。
【発明の詳細な説明】
【０００１】
【発明の属する技術分野】
本発明は、土留や護岸等に用いられるコンクリート構造物の天端構造に関するものである。
【０００２】
【従来の技術】
図４は、従来のＬ型擁壁の例を示したものであり、縦壁５２と底版５３からなる断面Ｌ字状のコンクリートブロック５１により背面の土５４を支えている。背面の土５４（盛土や切土）の天端レベルと縦壁５２の天端レベルは同一としている。
【０００３】
【発明が解決しようとする課題】
前述のような従来のコンクリート構造物の場合、縦壁５２の天端５２ａが露出しているため、自然の中に設置した場合、天端の白さと一定幅で延びた直線形状が一つのバリヤー（障害）となって自然の景観を損ねていると言われている。また、このバリヤーは、夏の晴天では、土の照り返しの倍以上の紫外線の照り返しを示し、さらに太陽の輻射熱によって表面が５０°Ｃ以上になり、植物の生育・動物の横断が難しい状況をつくり出している。
【０００４】
本発明は、このような問題点を解消すべくなされたものであり、比較的簡単な構成で、コンクリート構造物の天端の白さや一定幅の一直線形状を解消することができ、自然の景観が損なわれるのを防止することができ、さらに太陽の照り返しを無くすことができると共に、植物の生育・動物の通行に支障を与えることの無いコンクリート構造物の天端構造を提供することにある。
【０００５】
【課題を解決するための手段】
本発明の請求項１は、背面に土類が設けられるコンクリート構造物（土留や護岸等のコンクリートブロック等）において、このコンクリート構造物の天端に前面（土類の無い側）から背面（土類の有る側）に向かって下り勾配の傾斜面が形成され、前記傾斜面に、この上に載る土や植物等が滑らないように保持する凹凸が凹溝、凸条、穴あるいはリブにより形成されていることを特徴とするコンクリート構造物の天端構造である。
【０００６】
前記傾斜面は、コンクリート構造物の天端の傾斜方向の全体にわたって形成してもよいし、前面側にのみ部分的に形成してもよい。また、この傾斜面は、直線状でもよいし、凹状の曲線状でもよい。
【０００７】
前記凹凸は、図２、図３に示すように、一つまたは複数の凹溝，凸条，穴，リブで形成することができる。
【０００８】
また、前記傾斜面および凹凸は、コンクリートブロック表面に一体的に形成してもよいし、傾斜面および凹凸を形成した天端ブロックを通常型のコンクリートブロックの天端に取付けるようにしてもよい。
【０００９】
以上のような構成において、コンクリート構造物の天端に背面側に向かって下がる傾斜面が形成されているため、ここに土を被せることができ、天端を土や植物等で覆うことができ、コンクリート構造物の天端の白さや一定幅の一直線形状を解消することができ、自然の景観が損なわれるのを防止することができる。また、天端上に土や植物等が存在するため、太陽の照り返しを無くすことができ、さらに、天端表面が高温になるのが防止されるため、植物の生育が良好となり、動物も安心して通行できるようになる。
【００１０】
また、傾斜面に凹凸を設けることにより、上に載る土や植物等を滑らないように保持することができ、風や雨等に対して前記効果を維持することができる。さらに、傾斜面・凹凸を形成した天端ブロックを使用すれば、既設のコンクリートブロックを本発明の天端構造に簡単に改良することができる。
【００１１】
【発明の実施の形態】
以下、本発明を図示する一実施形態に基づいて説明する。この実施形態は、Ｌ型擁壁に本発明を適用した例である。図１は、本発明のコンクリート構造物の天端構造の１例を示したものである。図２は、その天端構造の詳細と傾斜面等の変形例を示したものである。図３は、天端構造の傾斜面の凹凸の変形例を示したものである。
【００１２】
図１において、Ｌ型擁壁は、縦壁２と底版３からなる断面Ｌ字状のコンクリートブロック１を長手方向に複数接合して構成されており、本発明においては、縦壁２の天端２ａを前面（土の無い側）から背面（土の有る側）に向かって下り勾配の傾斜面５とし、ブロック背面の土（盛土や切土）４の天端レベルを傾斜面５の上端に一致させることで、傾斜面５の上を土４で覆い、天端２ａが露出しないようにする。必要に応じて、傾斜面５の上の土４にも植栽を施す。
【００１３】
この傾斜面５は、図示例では縦壁２の板厚方向（傾斜方向）の全体にわたって形成されているが、これに限らず、傾斜面５を前面側にのみ部分的に形成するようにしてもよい。また、傾斜面５は、直線状とされているが、凹状の曲線状でもよい。さらに、傾斜面５の傾斜角θは、小さすぎると、傾斜面５上の土４の被りが少なくなり、風や雨等で天端２ａが露出する恐れがあり、また、大きすぎると、コンクリート上部の強度が低下するため、天端が露出せず強度が低下しない範囲で適宜決定される。
【００１４】
このような傾斜面５に、図２(a) に示すように、縦横の凹溝６ａ等による凹凸６を形成し、傾斜面５上に載る土４や植物等が滑らないようにする。凹溝６ａは、図２(b) に示すように、小さいものを多数配設してもよいし、中程度のものを複数配設してもよいし、大きいものを中央に一つ配置するようにしてもよい。さらに、曲率半径の大きい円弧状の凹溝により曲線状の傾斜面５とすることもできる。
【００１５】
以上のような傾斜面５と凹凸６は、プレキャストコンクリートブロック１の型枠による製造時に、型枠表面に傾斜面・凹凸形成部材を設けるなどして簡単に形成することができる。
【００１６】
また、以上は傾斜面５と凹凸６がコンクリートブロック１の表面に一体的に形成されている場合であるが、これに限らず、図２(c) に示すように、傾斜面５や凹凸６が形成されている側面視直角三角形状の天端ブロック７を使用することもできる。この天端ブロック７は、通常型のコンクリートブロック８の天端に接着剤やボルト等のアンカーで固定する。このような天端ブロック７を使用すれば、既設の擁壁を本発明の天端構造に簡単に改良することができる。なお、この天端ブロック７と通常型コンクリートブロック８の組合せは、新設の擁壁にも適用できることは言うまでもない。
【００１７】
次に、図３(a) は、傾斜面５の傾斜方向に波打つ波形の凹凸６の例であり、傾斜直角方向に平行な半円状の凹溝６ｂと半円状の凸条６ｃから構成されている。図３(b) は、半円状の凹溝６ｂと半円状の凸条６ｃが傾斜方向に対して斜めに形成されている例である。図３(c) は、多数の円形の穴６ｄにより凹凸６を形成した例である。この穴６ｄの形状は円形に限らず、三角形，四角形, 多角形, その他でもよい。
【００１８】
図３(d) は、図３(a) の波形の凹凸６を波板９で形成した例である。この波板９は、プレキャストコンクリートブロックの型枠による製造時に、型枠表面に設けることにより、傾斜面５に一体的に取付けることができる。また、これに限らず、波板９を接着剤やボルト等のアンカーで傾斜面５に固定することもできる。なお、図３(b) ，(c) の場合も板材で構成することができる。
【００１９】
図３(e) 〜(h) は、コンクリート表面の補強を兼ねる縦横のリブ６ｅにより凹凸６を形成した例であり、図３(e) では、傾斜面の前面側と背面側に傾斜直角方向に平行な横リブ６ｅを設けている。図３(f) では、中央部にも横リブ６ｅを設けている。図３(g) では、図３(e) において傾斜方向に平行な２本の縦リブ６ｅを追加している。図３(h) では、図３(f) において縦リブ６ｅを中央に追加している。なお、この図３(e) 〜(h) においても、傾斜面５とリブ６ｅはコンクリートブロックと一体に形成してもよいし、板材から構成してもよい。
【００２０】
また、以上の図３の天端構造も、図２(c) のように天端ブロックにより構成できることは言うまでもない。
なお、以上はＬ型擁壁に本発明を適用した例について説明したが、これに限らず、その他のコンクリート構造物にも本発明を適用できることは言うまでもない。
【００２１】
【発明の効果】
本発明は、以上のような構成からなるので、次のような効果を奏することができる。
【００２２】
(1) コンクリート構造物の天端に背面側に向かって下がる傾斜面が形成されているため、ここに土を被せることができ、天端を土や植物等で覆うことができ、コンクリート構造物の天端の白さや一定幅の一直線形状を解消することができ、自然の景観が損なわれるのを防止することができる。
【００２３】
(2) また、天端上に土や植物等が存在するため、太陽の照り返しを無くすことができ、さらに、天端表面が高温になるのが防止されるため、植物の生育が良好となり、動物も安心して通行できるようになる。
【００２４】
(3) 傾斜面に凹凸を設けることにより、上に載る土や植物等を滑らないように保持することができ、風や雨等に対して前記効果を維持することができる。
(4) 傾斜面・凹凸を形成した天端ブロックを使用すれば、既設のコンクリートブロックを本発明の天端構造に簡単に改良することができる。
【図面の簡単な説明】
【図１】本発明のコンクリート構造物の天端構造の１例を示す斜視図である。
【図２】図１の天端構造の詳細であり、(a) は斜視図、(b) は傾斜面の凹凸の種々の例を示す側面図、(c) は天端ブロックの例を示す側面図である。
【図３】図１の天端構造における傾斜面の凹凸の種々の変形例を示す斜視図である。
【図４】従来のコンクリート構造物を示す斜視図である。
【符号の説明】
１…コンクリートブロック
２…縦壁
２ａ…天端
３…底版
４…土
５…傾斜面
６…凹凸
６ａ…凹溝
６ｂ…半円状の凹溝
６ｃ…半円状の凸条
６ｄ…穴
６ｅ…リブ
７…天端ブロック
８…通常型のコンクリートブロック
９…波板
【図１】
0003801869.tif 000002
【図２】
0003801869.tif 000003
【図３】
0003801869.tif 000004
【図４】
0003801869.tif 000005